(57)【特許請求の範囲】
【請求項１】
携帯型電話機等の情報通信機に着脱自在に装着し、情報通信機によって送受話信号と共に画像・映像信号を送受信するためのアダプタにおいて、
アダプタ本体の一側部に突設形成した中空の支持部と、回転軸方向に対して直交する向きとした撮影レンズを有する撮像部としての回転筒とを設け、
さらに、前記回転筒の端面から回転軸方向に突出させた突形部と、
前記支持部に形成した孔より当該支持部内に挿入した前記突形部に固着し、前記回転筒と一体的に回転させるようにした板と、
前記板と前記支持部の内面との間に設け、前記回転筒を前記支持部に圧接保持させるばねとを備え、
前記板を押動するばねのばね勢力によって撮像部としての前記回転筒を回転可能に支持させたことを特徴とする携帯型情報通信機のアダプタ。
【発明の詳細な説明】
【０００１】
【発明の属する技術分野】
この発明は、携帯電話機やＰＨＳ電話機などの携帯型情報通信機に着脱自在に装着し、画像・映像信号を送受信するためのアダプタに関し、具体的には、撮像部に不用意に外力が加わったとき、この撮像部を保護する構成としたアダプタに係る。
【０００２】
【従来の技術】
携帯型情報通信機である携帯電話機やＰＨＳ電話機は送受話専用機であるため、画像・映像信号を送受信することができないが、今日では、パソコンやデジタルカメラから画像・映像信号を携帯型電話機に入力し、この電話機により画像・映像信号を送受信する通信システムが開発されている。
【０００３】
また、撮像機能と画像・映像信号の処理機能とを備えたアダプタを携帯型電話機に装着し、アダプタと電話機の間で画像・映像信号を直接授受させ、画像・映像信号を電話機によって送信し、また、受信し、携帯型電話機相互間で画像・映像信号を送受信できるようにしたアダプタ付の電話機が開発されている。
このような電話機は、受信した画像・映像を表示し、また、送信する画像・映像をモニタできる表示装置を備えている。
【０００４】
【発明が解決しようとする課題】
画像・映像信号を送受信するための上記したアダプタには、撮影レンズや撮像素子などの撮像機構を備えた撮像部がアダプタに突出形成した支持腕に軸支されているものがある。
【０００５】
そして、このようなアダプタは、撮像部の軸支部が回動自在となっており、撮像部を回動させることで撮影方向を変えるように構成されている。
【０００６】
このようなアダプタは、落下させてしまった時のように撮像部に予期しない外力が加わることにより、撮像部の軸支部が破壊し、撮像部がアダプタから取り外れることがあり、また、このような外力が加わると、撮像部自体を破損したり、撮像部を軸支させたアダプタ突出腕などを破壊してしまうと言う問題がある。
【０００７】
本発明は上記した実情にかんがみ、アダプタに不用意に外力が加わった場合でも、撮像部とその軸支部の破損を確実に防止する保護機構を設けたこの種のアダプタを提供することを目的とする。
【０００８】
【課題を解決するための手段】
上記した目的を達成するために本発明は、携帯型電話機等の情報通信機に着脱自在に装着し、情報通信機によって送受話信号と共に画像・映像信号を送受信するためのアダプタに関する。
【０００９】
そして、このアダプタは、アダプタ本体の一側部に突設形成した中空の支持部と、回転軸方向に対して直交する向きとした撮影レンズを有する撮像部としての回転筒とを設け、さらに、前記回転筒の端面から回転軸方向に突出させた突形部と、前記支持部に形成した孔より当該支持部内に挿入した前記突形部に固着し、前記回転筒と一体的に回転させるようにした板と、前記円形板と前記支持部の内面との間に設け、前記回転筒を前記支持部に圧接保持させるばねとを備え、前記板を押動するばねのばね勢力によって撮像部としての前記回転筒を回転可能に支持させたことを特徴とする携帯型情報通信機のアダプタとなっている。
【００１０】
【作用】
撮像部としての回転筒をばね勢力によって保持しているから、アダプタを落下させてしまったとき等、撮像部が強い衝撃力（外力）を受けると、この撮像部が揺動してその衝撃力を緩和し、撮像部の破損やその支軸部などの破壊を防止する。
【００１１】
衝撃力を受け揺動した後は撮像部がばね勢力によって正常位置に戻るので、撮像部を回動させ任意の撮影方向に変え撮影し、その画像・映像信号を情報通信機を介して送信することができる。
【００１２】
【発明の実施の形態】
次に、本発明の一実施形態について図面に沿って説明する。
図１は携帯型の電話機１０と画像・映像信号（以下、単に「映像信号」という）を送受信するためのアダプタ３０とを示す斜視図である。
【００１３】
電話機１０は公知構成のもので、偏平化した箱状の本体部１０ａと平板状の操作部１０ｂとを折り畳み式に連結してあり、使用しないときは、操作部１０ｂを本体部１０ａに重ね合せるように折り畳み、使用するときは図示するように操作部１０ｂを展開する。
【００１４】
この電話機１０は文字や映像の表示機構を備え、その表示部１１が本体部１０ａに設けてある。
また、この本体部１０ａには、受話スピ−カ１２、アンテナ１３が、さらには、図面では省略してある着信ランプ、呼出音スピ−カなどを備えている。
【００１５】
また、操作部１１ｂには、電話ダイヤルとしてのテンキ−、ファンクションキ−、オンフックスイッチなどの各々のキ−１４の他に、マイクロホン１５、音量調節・機能選択キ−１６、電源スイッチ１７が備えてある。
さらに、この操作部１０ｂの一端側には、パソコンやアダプタ等と電気接続して信号授受するためのコネクタ（ピン受け）１８が設けてある。
【００１６】
一方、アダプタ３０は、薄型の長方形となっているアダプタ本体部３０ａの一側部に撮像部３１を備えると共に、アダプタ本体部３０ａの両側にはその長手方向に沿って形成したガイドレ−ル３２ａ、３２ｂが設けてある。
【００１７】
撮像部３１は撮影レンズを備えた筒部３１ａを有する回転筒３１ｂから構成してある。
つまり、回転筒３１ｂにはＣ−ＭＯＳ撮像素子が内装してあり、撮影レンズを通って入射した被写体像光がこの撮像素子によって電気変換され、その撮像信号がアダプタ本体部３０ａの信号処理回路に送られる。
なお、被写体像光を電気変換する撮像素子としては、Ｃ−ＭＯＳ撮像素子の他にＣＣＤ撮像素子などを使用してもよい。
【００１８】
また、この回転筒３１ｂはアダプタ本体部３０ａに一体形成した支持部３３によって回動自在に支持させてある。
具体的には、回転筒３１ｂをその筒軸を中心にして回動操作することで、筒部３１ａを旋回させ撮影方向を変える構成となっている。
【００１９】
ガイドレ−ル３２ａ、３２ｂは、電話機１０が備える操作部１０ｂのサイド部を嵌入させるようにして、アダプタ３０を電話機１０に装着させるもので、操作部１０ｂが最終位置まで嵌入されると、アダプタ３０に設けたコネクタピンが操作部１０ｂのコネクタ１８に突入し、アダプタ３０が電話機１０に電気接続される。
【００２０】
なお、アダプタ３０には、撮像部３１から送られる撮像信号や電話機１０が受信した映像信号を処理する信号処理回路が備えてあり、この信号処理回路の信号出入力端としてのコネクタピンが設けてある。
【００２１】
また、このアダプタ３０には、電話機１０の電源に対し別途に設けた電源が備えてある。
本実施形態では２本の乾電池３４、３５を電源電池として装備しており、これら乾電池３４、３５を収納させる電池収納部３６がアダプタ本体部３０ａの平面部３０ｂに凹状部として設けてある。
なお、このように設けた電池収納部３６は、収納された乾電池３４、３５の高さが平面部３０ｂの面に対してほぼ同じ高さとなるように形成してある。
【００２２】
また、電話機１０にアダプタ３０を装着して送受信する場合、表示部１１の映像を見ながら送話し、また、受話する関係上、電話機１０を顔面から所定距離だけ離すように手持ちして送受信する。
そのため、このアダプタ３０には、電話機１０との間で送受話信号を授受するための回路端子手段としてジャック３７が設けてあり、マイク付のイヤホン（或いはヘッドホン）のコ−ドの先端に設けたプラグを上記ジャック３７に差し込み電気接続する。
【００２３】
図２はアダプタ３０を電話機１０に装着させた状態を示す。
このようにアダプタ３０を取付けることによって、撮像部３１により撮影した被写体像が表示部１１に映し出され、その映像信号が送話信号と共に電話機１０によって送信することができ、また、相手から送られた映像信号と受話信号とを受信し、受信した映像信号に応じて表示部１１に映し出される映像を見ながら送受信することができる。
なお、送信する映像が表示部１１の一方側過半部分に、受信した映像がその他方側過半部分に各々映し出される。
【００２４】
また、このようにアダプタ３０を電話機１０に装着することによって、電話機１０の操作部１０ｂがアダプタ３０の平面部３０ｂ上に重ね合わさるようになり、その操作部１０ｂが電池収納部３６の開放口を閉塞する。
このことから、電池収納部３６に収納した乾電池３４、３５の抜け出しが操作部１０ｂによって防止される。
【００２５】
図３はアダプタ３０を電話機１０より取り外した状態を示す。
アダプタ自体を保管し、また、持ち歩くような場合、コネクタピンが何等かの原因によって折り曲げられたり、破損されるようなことがあるため、ガイドレ−ル３２ａ、３２ｂに嵌入させてコネクタピンを保護する保護カバ−５０を備えることが好ましい。
【００２６】
この保護カバ−５０は電話機１０の操作部１０ｂとほぼ同じ大きさの形状となっているが、ただ、嵌入先端側の両サイドに突出腕５０ａ、５０ｂが設けてある。
つまり、保護カバ−５０をガイドレ−ル３２ａ、３２ｂに嵌入させて押し進めてアダプタ３０に装着することにより、アダプタ３０のコネクタピンが上記の突出腕５０ａ、５０ｂ間に位置するようになる。
【００２７】
また、保護カバ−５０をアダプタに装着すると、この保護カバ−５０がアダプタ３０の平面部３０ｂと重り合うことから、電池収納部３６の開放口が保護カバ−５０によって閉塞される。
この結果、アダプタ３０のみを持ち運ぶような場合であっても、乾電池３４、３５の抜け出しが保護カバ−５０によって防止される。
なお、上記保護カバ−５０はアダプタ３０に嵌入させることにより、その突起５０ｃがアダプタ３０の一部に係止して着脱自在に抜け止めされる。
【００２８】
図４〜図７はアダプタ３０に設けた撮像部３１の支軸構成を示し、図４は撮像部３１を切欠いて示したアダプタ３０の部分的な拡大正面図、図５は撮像部３１を切欠いて示したアダプタ３０の部分的な拡大側面図、図６は図４上のＡ−Ａ線拡大断面図、図７は図６上のＢ−Ｂ線に沿って部分的に切断して示した撮像部３１の側面図である。
【００２９】
これらの図面により分かるように撮像部３１は、撮影レンズを備えた筒部３１ａが回転筒３１ｂに一体形成してあり、この筒部３１ａが回転筒３１ｂの回動操作にしたがって旋回し撮影方向を変えるようになっている。
また、回転筒３１ｂには既に述べたようにＣ−ＭＯＳ撮像素子や撮像回路などからなる撮像機構が備えてある。
【００３０】
一方、上記した回転筒３１ｂの円形端面には図８（ａ）、（ｂ）に拡大して示したところの３つの突形部６１が円周方向三等分位置に設けてあり、これら突形部６１を支持部３３内に突入させて円形板６４の外面からねじ込む小ねじによってねじ止めしてある。
なお、上記した突形部６１の各々はねじ止め部６２と位置決めピン６３とより形成してある。
【００３１】
また、回転筒３１ｂの円形端面に設けた略半円状の溝６５は撮像部３１の回動範囲を決めるもので、この溝６５には図８（ａ）に示した如く支持部３３に設けた突部３８を突入させ回転筒３１ｂが回転できる範囲を決めるようになっている。
さらに、回転筒３１ｂの円形端面中央に設けた円形孔６６は、回転筒３１ｂ内の撮像回路とアダプタ本体部３０ａの信号処理回路とを接続させる接続コ−ドの引き出し口である。
【００３２】
他方、支持部３３はカバ−部３９を嵌着させた中空支持部として形成してあり、その円形孔４０より上記した回転筒３１ｂの突形部６１を支持部３３内に突入させてある。
また、支持部３３内には上記した円形板６４の他に波状ばね６７が設けてある。
【００３３】
円形板６４は図９（ａ）、（ｂ）に拡大して示した通り、円周方向の三等分位置に小ねじをねじ込むための３つの小孔６８とこれら各々の小孔６８に付随させた３つの位置決め小孔６９とが形成してある。
また、この円形板６４には、各々の小孔６８間に設けた弧状フランジ７０と、中央に形成した円形孔７１とが設けてある。
なお、この円形孔７１は上記した接続コ−ドの引き出し口となっている。
【００３４】
上記した波状ばね６７は図１０（ａ）、（ｂ）に拡大して示したように、小幅のリングに形成したばね板であり、板面を波状に起伏形成させた波状ばねとなっている。
【００３５】
上記のように形成した円形板６４と波状ばね６７はカバ−部３９を嵌着させる前に支持部３３内に組み付ける。
つまり、円形板６４のフランジ７０の外側に波状ばね６７を嵌め合わせた状態で、この円形板６４の位置決め小孔６９に回転筒３１ｂの位置決めピン６３を嵌入させて位置決めする。
【００３６】
その後、小ねじ７２を円形板６４の各小孔６８に差し込れ、これら小ねじ７２を回転筒３１ｂの各々のねじ止め部６２にねじ込み、円形板６４と回転筒３１ｂとを一体的に連結する。
このようにして円形板６４と波状ばね６７とを組み付けた後にカバ−部３９を嵌着させる。
【００３７】
上記の如く組み付けた円形板６４はそのフランジ７０と支持部３３の内壁との間に所定の間隔が生じ、また、波状ばね６７が円形板６４と支持部３３の内壁との間に配設される。
この結果、波状ばね６７のばね勢力によって回転筒３１ｂの円形端面が支持部３３に適度の圧接力で接触するため、回転筒３１ｂの支軸部に機械ガタがなく、また、回転筒３１ｂに適度の圧接力をもたせて回動操作することができるから、回転筒３１ｂを任意の回動位置でストップさせる位置決め機構を設ける必要がない。
なお、回転筒３１ｂを回動させた場合、その突形部６１が支持部３３の円形孔４０の孔縁に接しながら旋回する。
【００３８】
また、アダプタ３０を落下させてしまったり、或いは、撮像部３１を他物に衝突させたりして撮像部３１に予期しない外力が加わったときには、回転筒３１ｂが波状ばね６７のばね勢力に抗して揺動する。
具体的には、回転筒３１ｂが外力によって支持部を支点に傾けば、円形板６４の一部がばね勢力に抗して波状ばね６７を押動するため、外力が波状ばね６７によって緩和されることから、外力によって撮像部３１が破損したり、支持部３３などを破壊することがない。
また、外力が取り除かれれば、回転筒３１ｂが波状ばね６７のばね勢力によって直ちに図示する正常位置に復動する。
【００４０】
【発明の効果】
上記した通り、アダプタを落下させてしまったり、或いは、アダプタを他物に衝突させたりすること等によって予期しない外力が撮像部に加わっても、この撮像部がばね勢力に抗して揺動してその外力を緩和する。
この結果、本発明のアダプタによれば、予期できない不用意な衝撃力によって撮像部を破損したり、また、軸支部が破壊して撮像部が取り外れる等の弊害を極力防止することができる。
また、本発明のアダプタは、回転筒がばね勢力によって支持保持されるので、撮像部の支軸部に機械ガタがなく、さらには、回転筒に適度の圧接力をもたせて回転操作することができるから、特に、位置決め機構を設けることなく、撮像部を任意の回動位置に定め撮影方向を決めることができる。
【図面の簡単な説明】
【図１】携帯型電話機とアダプタとを示す斜視図である。
【図２】電話機にアダプタを装着させた状態を示す斜視図である。
【図３】電話機より取り外したアダプタと保護カバ−とを示す斜視図である。
【図４】撮像部を切欠いて示したアダプタの部分的な拡大正面図である。
【図５】撮像部を切欠いて示したアダプタの部分的な拡大側面図である。
【図６】図４上のＡ−Ａ線拡大断面図である。
【図７】図６上のＢ−Ｂ線に沿って部分的に切断した撮像部の側面図である。
【図８】図８（ａ）は回転筒の円形端面を示す拡大図である。
図８（ｂ）は回転筒の端面部分を拡大して示す側面図である。
【図９】図９（ａ）は円形板の拡大側面図である。
図９（ｂ）は円形板の拡大背面図である。
【図１０】図１０（ａ）は波状ばねの拡大正面図である。
図１０（ｂ）は波状ばねの拡大側面図である。
【符号の説明】
１０  電話機
３０  アダプタ
３１  撮像部
３１ａ  撮影レンズを備えた筒部
３１ｂ  回転筒
３３  支持部
３９  カバ−部
４０  円形孔
５０  保護カバ−
６１  突形部
６４  円形板
６７  波状ばね
【図１】
0003584388.tif 000002
【図２】
0003584388.tif 000003
【図３】
0003584388.tif 000004
【図４】
0003584388.tif 000005
【図５】
0003584388.tif 000006
【図６】
0003584388.tif 000007
【図７】
0003584388.tif 000008
【図８】
0003584388.tif 000009
【図９】
0003584388.tif 000010
【図１０】
0003584388.tif 000011